(57)【要約】【課題】展示台１，２に展示用商品９２を載置し、一端が盗難検出回路に接続された盗難検出用のセンサケーブル３が、その他端の盗難検出用プローブ３２で商品に固定され、また、充電用ケーブル４が商品の充電端子に充電用電源を供給するように接続される商品展示装置において、展示台側のケーブルの接続位置を、ケーブルがセンサケーブルか充電用ケーブルかに係らず最寄りの位置に接続可能とすることにより、ケーブルの配索を簡素化する。【解決手段】センサケーブルの一端はコネクタボックス２上に設けられたコネクタ２１〜２４を介して盗難検出回路に接続され、このコネクタは電気的には互いに並列接続されてコネクタボックス上で位置を変えて複数個設けられ、各コネクタは充電用ケーブルを充電用電源に接続するコネクタと共通化されている。【選択図】図１
2013003937.tif 000002
【特許請求の範囲】
【請求項１】
展示台に展示用商品を載置し、一端が盗難検出回路に接続された盗難検出用のセンサケーブルが、その他端の盗難検出用プローブで商品に固定され、また、充電用ケーブルが商品の充電端子に充電用電源を供給するように接続される商品展示装置において、
センサケーブルの一端は展示台上に設けられたコネクタを介して盗難検出回路に接続され、該コネクタは電気的には互いに並列接続されて展示台上で位置を変えて複数個設けられ、各コネクタは充電用ケーブルを充電用電源に接続するコネクタと共通化されていることを特徴とする商品展示装置。
【請求項２】
請求項１において、展示台上の各コネクタには、盗難検出回路に接続される端子と、充電用電源に接続される端子とがそれぞれ設けられ、
センサケーブル及び充電用ケーブルに接続され、且つ前記各コネクタに雄雌嵌合する各相手コネクタには、各ケーブルに接続される端子が設けられることを特徴とする商品展示装置。
【発明の詳細な説明】
【技術分野】
【０００１】
本発明は、携帯電話、デジタルカメラ、ゲーム機のような電池内蔵の電気製品（以下、商品ともいう）を店頭等で展示する際に使用する商品展示装置に関する。
【背景技術】
【０００２】
商品展示装置における商品の展示は、展示台の上に商品を置き、この商品に対して、盗難検出用のセンサを取り付けると共に、電池充電用のケーブルを接続して行っている。このような商品展示装置に関する発明が下記特許文献１に記載されている。
【先行技術文献】
【特許文献】
【０００３】
【特許文献１】特開２０１０−２７７３７９号公報
【発明の概要】
【発明が解決しようとする課題】
【０００４】
しかし、従来の展示装置では、商品に対する盗難検出用のセンサのケーブルの最適取付位置と、商品に対する電池充電用のケーブルの接続位置は、商品の種類や機種によって様々であり、それらの位置と展示台側のケーブル接続位置との相対位置によっては、両ケーブルが展示用商品の周りで錯綜し、展示用商品の周りが雑然としてその見栄えが悪くなる問題がある。
本発明は、このような問題に鑑み、展示台側のケーブルの接続位置を、ケーブルがセンサケーブルか充電用ケーブルかに係らず最寄りの位置に接続可能とすることにより、ケーブルの配索を簡素化することを課題とする。
【課題を解決するための手段】
【０００５】
本発明の第１発明は、展示台に展示用商品を載置し、一端が盗難検出回路に接続された盗難検出用のセンサケーブルが、その他端の盗難検出用プローブで商品に固定され、また、充電用ケーブルが商品の充電端子に充電用電源を供給するように接続される商品展示装置において、センサケーブルの一端は展示台上に設けられたコネクタを介して盗難検出回路に接続され、該コネクタは電気的には互いに並列接続されて展示台上で位置を変えて複数個設けられ、各コネクタは充電用ケーブルを充電用電源に接続するコネクタと共通化されていることを特徴とする商品展示装置である。
第１発明によれば、共通化された複数のコネクタが展示台上に設けられているため、展示用商品にセンサケーブルと充電用ケーブルの両方を取り付け、その取付位置が商品の種類や機種によって種々変化する場合でも、各ケーブルは複数のコネクタの中から最寄りの位置にあるものを選択して使用することができ、複数のケーブルが錯綜することなく、見栄え良く配索することができる。商品が分割可能なものであり、センサケーブルが複数本となる場合には、この発明による効果はより顕著である。
【０００６】
本発明の第２発明は、上記第１発明において、展示台上の各コネクタには、盗難検出回路に接続される端子と、充電用電源に接続される端子とがそれぞれ設けられ、センサケーブル及び充電用ケーブルに接続され、且つ前記各コネクタに雄雌嵌合する各相手コネクタには、各ケーブルに接続される端子が設けられることを特徴とする。
第２発明によれば、各コネクタには、盗難検出回路に接続される端子と、充電用電源に接続される端子とがそれぞれ設けられているため、コネクタの端子構造を変更するだけの簡単な構成で、コネクタの共通化を図ることができる。
【０００７】
本発明の第３発明は、上記第１又は第２発明において、前記展示台は、展示用商品を固定する展示台上部と、支持部となる展示台下部とから成り、展示台上部と展示台下部とは磁力により分離可能に結合され、展示台下部には前記盗難検出回路を備え、展示台上部には前記センサケーブル及び充電用ケーブルが接続されるコネクタが複数個並列接続されて設けられ、展示台上部と展示台下部とは互いに電気的に接続されて、展示台下部から展示台上部の各コネクタに充電用電源を供給し、展示台上部の各コネクタに接続されたセンサケーブルの検出信号を展示台下部の盗難検出回路に送信し、展示台上部と展示台下部とは互いの当接面内での結合位置を所定角度だけ相対偏倚可能とする結合構造を備えることを特徴とする。
第３発明によれば、展示台上部と展示台下部とは互いの当接面内での結合位置を所定角度だけ相対偏倚可能とされているため、展示用商品をその商品の種類や機種に応じて最適位置で展示することができる。また、商品も各コネクタも共に展示台上部側に設けられているため、商品に取り付けた各ケーブルをコネクタに接続した後に商品の角度を変更しても、ケーブルをコネクタに接続し直す必要はない。
【０００８】
本発明の第４発明は、上記第３発明において、前記展示台上部と展示用商品とは両面テープにより互いに接着固定され、展示台上部の両面テープとの接着面の一部は切り欠かれて接着面外に向けて開かれた開口部とされ、該開口部には両面テープの展示台上部との接着面を剥がすように両面テープの一部に当接するリムーバプレートが挿入可能とされていることを特徴とする。
第４発明によれば、展示台上部と展示用商品を接着固定する両面テープは、展示台上部に形成された開口部にリムーバプレートを挿入して剥がし易くされているため、無理な力を加えることなく展示台上部から両面テープと共に展示用商品を容易に剥がすことができる。しかも、そのとき、無理な力が商品に加えられることはないため、商品を傷付けたり故障させたりする恐れをなくすことができる。
【図面の簡単な説明】
【０００９】
【図１】本発明の第１の実施形態の使用状態における構成説明図である。
【図２】上記第１の実施形態の全体構成説明図である。
【図３】上記第１の実施形態のコネクタボックスの部分断面側面図である。
【図４】図３と同様のコネクタボックスの斜視図である。
【図５】図３と同様のコネクタボックスの底面側からの斜視図である。
【図６】上記第１の実施形態の電気回路ブロック図である。
【図７】上記第１の実施形態の制御ユニットの制御フローチャートである。
【図８】本発明の第２の実施形態の構成説明図である。
【発明を実施するための形態】
【００１０】
以下、本発明の実施形態を図面を参照しながら説明する。
<第１の実施形態>
第１の実施形態では、展示用商品として携帯電話を用いた場合について説明しており、図１に示すように、展示台である制御ユニット１及びコネクタボックス２の上に固定された携帯電話９２が傾斜台９１上に固定されている。傾斜台９１は店舗内で客の見やすい位置に携帯電話を展示するように、高さと傾斜角度を設定している。
図１及び２に示すように、制御ユニット（本発明における展示台下部）１とコネクタボックス（本発明における展示台上部）２とは磁力により分離可能に結合されて展示台を成し、コネクタボックス２は携帯電話９２を固定し、制御ユニット１は支持部となる。
また、コネクタボックス２と携帯電話９２は、両面テープ６によって相互に接着固定されている。携帯電話９２には盗難検出用のセンサケーブル３が取り付けられると共に、充電用ケーブル４が充電端子に接続されている。
センサケーブル３の先端（他端）には、盗難検出用プローブ３２が設けられ、この盗難検出用プローブ３２が携帯電話９２の一部に接着固定されている。盗難検出用プローブ３２は、電気的には図６に示すようにオンオフスイッチであり、盗難検出用プローブ３２が携帯電話９２から取り外されるとオフとなり、取り付けられるとオンとなるように構成されている。後述するように、携帯電話９２から盗難検出用プローブ３２が取り外されると、盗難検出用プローブ３２はオンからオフとなって、盗難検出回路により赤色ＬＥＤ（発光ダイオード）が点灯されると同時にブザーが作動されて、商品である携帯電話９２が盗難されようとしていることが警報される。
センサケーブル３の一端と充電用ケーブル４の一端は、共にコネクタボックス２のコネクタ２１〜２４に接続されている。
【００１１】
コネクタボックス２には、全て同一形状、同一構造のコネクタ２１〜２４が４個設けられており、各コネクタ２１〜２４は、大略円筒形を成すコネクタボックス２の環状側壁上に略等間隔に配置されている。各コネクタ２１〜２４の各端子は、電気的には互いに並列接続されており、各端子からの電気配線はワイヤ５を介して制御ユニット１に接続されている。
制御ユニット１には、図示しない盗難検出回路、充電用電源回路が内蔵されており、各回路は、制御ユニット１のコネクタ１１、上記ワイヤ５のコネクタ５１を介してワイヤ５に接続され、更にコネクタボックス２内で各コネクタ２１〜２４に接続されている。なお、盗難検出回路には、上述の赤色ＬＥＤ、ブザーが接続されている。また、制御ユニット１には、図示されていないが、電源線が接続されて外部電源が供給されている。
制御ユニット１は半透明の樹脂カバーで覆われており、赤色ＬＥＤが発光されると、その光を外部に透過させる。また、樹脂カバーのブザーに対応する位置にはブザー作動音を通過させるための孔が開けられている。更に、制御ユニット１内には受光センサが内蔵されており、この受光センサは、樹脂カバーを通して通信端末８から発光される赤外線信号を受信している。
【００１２】
図６に示されるように、コネクタボックス２の各コネクタ２１〜２４には、センサケーブル３のコネクタ３１も充電用ケーブル４のコネクタ４１も共通に接続可能とされており、各コネクタ２１〜２４内には、コネクタ３１の端子３１１、３１２に接続される端子２１２、２１３が配置されると共に、コネクタ４１の端子４１１、４１２に接続される端子２４１、２４４が配置されている。
従って、コネクタ２１〜２４の一つにセンサケーブル３のコネクタ３１が接続されれば、コネクタ２１〜２４内の端子のうち、コネクタ３１の端子３１１、３１２に対応する端子２１２、２１３を通じて制御ユニット１内の盗難検出回路に盗難検出用プローブ３２が接続される。また、充電用ケーブル４のコネクタ４１がコネクタ２１〜２４の一つに接続されれば、コネクタ２１〜２４内の端子の内、コネクタ４１の端子４１１、４１２に対応する端子２４１、２４４を通じて、制御ユニット１の充電用電源回路に携帯電話９２の電池が接続される。
以上の図６に基づく説明では、センサケーブル３のコネクタ３１がコネクタボックス２のコネクタ２１に接続され、充電用ケーブル４のコネクタ４１がコネクタボックス２のコネクタ２４に接続された場合について説明したが、センサケーブル３のコネクタ３１や充電用ケーブル４のコネクタ４１が、コネクタボックス２のどのコネクタに接続されても同様に機能することができる。
【００１３】
このように共通化された複数のコネクタ２１〜２４がコネクタボックス２上に設けられていることにより、携帯電話９２にセンサケーブル３と充電用ケーブル４の両方を取り付け、その取付位置が携帯電話９２の種類や機種によって種々変化する場合でも、各ケーブル３、４は複数のコネクタ２１〜２４の中から最寄りの位置にあるものを選択して使用することができ、複数のケーブル３、４が錯綜することなく、見栄え良く配索することができる。携帯電話９２が分割可能なものであり、センサケーブル３が複数本となる場合には、この発明による効果はより顕著である。
また、各コネクタ２１〜２４には、盗難検出回路に接続される端子２１２、２１３、２４２、２４３と、充電用電源に接続される端子２１１、２１４、２４１、２４４とがそれぞれ設けられているため、各コネクタ２１〜２４、３１、４１の端子構造を変更し、各コネクタ２１〜２４の端子の電気接続を変更するだけの簡単な構成で、コネクタの共通化を図ることができる。
【００１４】
図７には制御ユニット１内の盗難検出回路における盗難検出機能がフローチャートによって示されている。
プログラムが起動されると、ステップＳ１では赤色ＬＥＤが点灯される。この点灯により商品展示をしている店員は、盗難検出回路が検出可能状態にないことを知ることができる。ステップＳ２では、検出開始操作が行われたか否かが判定される。検出開始操作は、図２に示す通信端末８のスイッチ操作によって行われる。スイッチ操作が行われるまではステップＳ２が否定判断されて、ステップＳ１により赤色ＬＥＤの点灯が継続されるが、スイッチ操作が行われてステップＳ２が肯定判断されると、ステップＳ３において、赤色ＬＥＤは消灯され、盗難検出回路が検出可能状態となったことが表示される。
次のステップＳ４では、盗難検出用プローブ３２の状態が確認される。即ち、盗難検出用プローブ３２がオン状態かオフ状態かが確認される。次のステップＳ５では、ステップＳ４で確認された盗難検出用プローブ３２の状態が記録される。
ステップＳ６では、ステップＳ４と同様に現在の盗難検出用プローブ３２の状態が検出され、ステップＳ７ではステップＳ５で記録された盗難検出用プローブ３２の状態とステップＳ６で検出された盗難検出用プローブ３２の状態とが比較される。この比較の結果、両者が不一致か否かがステップＳ８にて判定され、両者が一致していればステップＳ８は否定判断されて、ステップＳ６とステップＳ７の処理を繰り返す。両者が不一致となってステップＳ８が肯定判断されると、ステップＳ９において赤色ＬＥＤが点灯されると共にブザーが作動される。当初、記録された盗難検出用プローブ３２の状態に対して、現在の盗難検出用プローブ３２の状態が不一致となったということは、携帯電話９２に固定されていた盗難検出用プローブ３２が取り外されたか、取り外されていた盗難検出用プローブ３２が携帯電話９２に固定されたことを意味するため、警報を発して、携帯電話９２が盗難されようとしていることを警報する。
ステップＳ１０では、解除信号を受信したか否かが判定される。解除信号は上述の通信端末８のスイッチ操作により発せられ、解除信号が受信されていない間は、ステップＳ１０は否定判断され、ステップＳ９において警報が発せられ続ける。解除信号が受信され、ステップＳ１０が肯定判断されると、ステップＳ１１において赤色ＬＥＤが消灯されると共に、ブザーの作動が停止されて、警報が停止される。
以上のようにして盗難検出が行われる。
【００１５】
次に制御ユニット１とコネクタボックス２との結合構造について説明する。
上述のように基本的に両者は磁力により分離可能に結合されている。具体的には、図３の２７で示すようにコネクタボックス２の底面部に永久磁石が固定されており、制御ユニット１の上面部に図示しない磁性体板が固定されている。
また、制御ユニット１とコネクタボックス２は、第１の実施形態では、互いの当接面内での結合位置を９０度刻みで相対偏倚可能とされている。具体的には、図２〜５に示すように、コネクタボックス２の底面部の周囲には環状に配置された４個の突起２５１〜２５４が設けられており、それに対応する制御ユニット１の上面部の周囲には、上記４個の突起２５１〜２５４が嵌合可能な窪みが形成されている。各突起２５１〜２５４が各窪みに嵌合することで、制御ユニット１とコネクタボックス２は互いに当接面内で相対回転しないように位置決めされている。そして、一旦この嵌合状態を外した後に、コネクタボックス２を当接面内で９０度回転させ、各突起２５１〜２５４を外す前に嵌合していた窪みの隣りの窪みに嵌合させることにより、制御ユニット１に対してコネクタボックス２を９０度偏倚させた位置で結合させることができる。
このようにコネクタボックス２を制御ユニット１に対して９０度刻みで偏倚させて結合可能とすることにより携帯電話９２をその種類や機種に応じて最適位置で展示することができる。また、携帯電話９２も各コネクタ２１〜２４も共にコネクタボックス２側に設けられているため、携帯電話９２に取り付けた各ケーブル３、４をコネクタ２１〜２４に接続した後に携帯電話９２の角度を変更しても、ケーブル３、４をコネクタ２１〜２４に接続し直す必要はない。
【００１６】
コネクタボックス２の上面には、図２〜４に示すように両面テープ６が貼着されている。この両面テープ６の上面に携帯電話９２を載せることにより、図１のようにコネクタボックス２の上面に携帯電話９２を固定している。
図３、４において、２８はコネクタボックス２内から突出するピンであり、両面テープ６の中心を貫通している。ピン２８は両面テープ６の上面に携帯電話９２が固定されると、ピン２８の先端が携帯電話９２に押されてコネクタボックス２内に沈み、コネクタボックス２内に設けられているスイッチを切換操作するように構成されている。従って、ピン２８は両面テープ６の上面に携帯電話９２が固定されているか否かを検出するセンサの役割を果たしている。勿論、携帯電話９２が両面テープ６と共に取り外されても、ピン２８はそれを検出できる。ピン２８の機能については、本発明と直接関係ないため、これ以上の詳細な説明は省略する。
コネクタボックス２の上面の両面テープ６との接着面の一部は切り欠かれて接着面外に向けて開かれた開口部２９とされ、この開口部２９には両面テープ６のコネクタボックス２の上面との接着面を剥がすように両面テープ６の一部に当接するリムーバプレート７が挿入可能とされている。
このようにコネクタボックス２の上面と携帯電話９２を接着固定する両面テープ６は、コネクタボックス２の上面に形成された開口部２９にリムーバプレート７を挿入して剥がし易くされていることにより、無理な力を加えることなくコネクタボックス２の上面から両面テープ６と共に携帯電話９２を容易に剥がすことができる。しかも、そのとき、無理な力が携帯電話９２に加えられることはないため、携帯電話９２を傷付けたり故障させたりする恐れをなくすことができる。
【００１７】
<第２の実施形態>
制御ユニット１に対するコネクタボックス２の結合構造は、上記第１の実施形態では、突起及び窪みによる位置決め構造に磁力による結合構造を組合わせたものとしたが、第２の実施形態では、制御ユニット１の上面部とコネクタボックス２の底面部とにそれぞれ図８に示すように環状に磁極を配置した永久磁石を固定することによって構成されている。この第２の実施形態の構成によれば、制御ユニット１の磁石の磁極配置に対して、コネクタボックス２の磁石の磁極は、同じ磁極同士では反発し合うため両者は結合できず、違う磁極同士が相対したときに両者は結合されるようになる。そのため、第２の実施形態でも制御ユニット１とコネクタボックス２の結合位置を９０度刻みで相対偏倚させることができる。
第２の実施形態の場合、制御ユニット１とコネクタボックス２の両方に永久磁石を固定するのみで、第１の実施形態のように突起や窪みを形成する必要がないため、構成を簡素化することができる。
なお、第１及び第２の実施形態では、コネクタボックス２の制御ユニット１に対する相対偏倚を９０度刻みとしたが、この角度は９０度より小さくしても、大きくしても良い。
【００１８】
本発明は、上記実施形態で説明した外観、構成に限定されず、本発明の要旨を変更しない範囲で種々の変更、追加、削除が可能である。例えば、
１．上述の実施形態では、展示台上のコネクタの共通化のため、コネクタ内で位置を変えてセンサケーブル用の端子と充電用ケーブル用の端子とをそれぞれ設けていたが、そのように各ケーブル専用の端子を設けるのではなく、コネクタ内の端子は全く共通とし、この端子間に別途検知回路を接続して、その端子にどちらのケーブルが接続されているかを識別するようにしても良い。具体的には、コネクタの端子間に微弱な電気信号を印加して、その端子の先にオンオフスイッチが接続されていることが検知されるか、所定の電池が接続されていることが検知されるかにより、前者であるときは共通の端子に接続されているケーブルはセンサケーブルであり、後者であるときは充電用ケーブルであると識別することができる。このようにして識別が行われた後は、検知回路に代えて、センサケーブルであるときは盗難検出回路が端子間に接続され、充電用ケーブルであるときは充電用電源が端子間に接続される。このようにして展示台上のコネクタの共通化を図ることもできる。
２．展示用商品については、上記実施形態では携帯電話の場合を例示したが、デジタルカメラ、ゲーム機などでも良いことは勿論である。
【符号の説明】
【００１９】
１    制御ユニット（展示台、展示台下部）
２    コネクタボックス（展示台、展示台上部）
２１、２２、２３、２４  コネクタ
２５１、２５２、２５３、２５４  突部（結合構造）
２９  開口部
３    センサケーブル
３１  コネクタ
３２  盗難検出用プローブ
４    充電用ケーブル
４１  コネクタ
４２  コネクタ
５    ワイヤ
６    両面テープ
７    リムーバプレート
【図１】
2013003937.tif 000003
【図２】
2013003937.tif 000004
【図３】
2013003937.tif 000005
【図４】
2013003937.tif 000006
【図５】
2013003937.tif 000007
【図６】
2013003937.tif 000008
【図７】
2013003937.tif 000009
【図８】
2013003937.tif 000010